(57)【要約】【課題】簡単な構造でありながら、最も大きな荷重のかかる臀部付近の落ち込みを防止し、自然な姿勢を保持して腰痛を防ぎ、かつ、体圧を効果的に分散することによって筋肉の緊張をとり、入眠と疲労回復に優れるとともに褥瘡の発生も防止できるマットレスを提供する。【解決手段】ウレタンフォームなどの軟質弾性体からなるクッション部材１，２を単層または複数層重ねて構成したマットレスにおいて、クッション部材１，２よりも硬さの硬い軟質弾性体からなる姿勢保持・体圧分散用の硬度調整部材４を、マットレスの仰臥寝方向に沿って臀仙骨部Ｂを中心に少なくとも腰部Ａから大腿部Ｃまでを覆うように埋め込み、該硬度調整部材のマットレス側面側から見た断面形状を、臀仙骨部Ｂ付近が最も厚く、腰部Ａ側および大腿部Ｃ側に行くに従ってその厚さが薄くなる形状とした。【選択図】      図１
0003120773.tif 000002
【実用新案登録請求の範囲】
【請求項１】
ウレタンフォームなどの軟質弾性体からなるクッション部材を単層または複数層重ねて構成したマットレスにおいて、
前記クッション部材よりも硬さの硬い軟質弾性体からなる姿勢保持・体圧分散用の硬度調整部材が、マットレスの仰臥寝方向に沿って臀部を中心に腰部から大腿部までを覆うように埋め込まれ、
該硬度調整部材は、マットレス側面側から見た断面形状を、臀仙骨部付近が最も厚く、腰部側および大腿部側に行くに従ってその厚さが薄くなる形状とされていることを特徴とするマットレス。
【請求項２】
前記硬度調整部材のマットレス側面側から見た断面形状が、円弧形、波状山形、正弦波形、三角形、台形、紡錘形、階段状など、臀仙骨部位置に比べて腰部および大腿部側の硬さが減ずるような形状であることを特徴とする請求項１記載のマットレス。
【請求項３】
前記硬度調整部材のマットレス側面側から見た断面形状が、人体の腰部から臀部を通って大腿部に至る部分の側面シルエットを模した形状であることを特徴とする請求項１記載のマットレス。
【考案の詳細な説明】
【技術分野】
【０００１】
本考案は、ウレタンフォームなどの軟質弾性体からなるクッション部材を単層または複数層重ねて構成したマットレスに関し、特に、尻落ちのない自然な姿勢の保持と大きな荷重のかかる臀部付近の体圧分散の両立を図ったマットレスに係るものである。
【背景技術】
【０００２】
理想的なマットレスとは、就寝時に筋肉の緊張がとれてリラックスでき、入眠がよく、疲労が残らない、また尻落ちすることなく立位に近い自然な姿勢がとれて腰痛を防止できる、しかも適度な弾性を有して寝返りが打ちやすいものである。筋肉が緊張する状態とは、例えば、板の上に仰臥した時、頭部、背部、臀部、足などの身体部分に荷重が集中して全身がブリッジ状になる状態を言う。従って、理想的なマットレスとは、体重を部分ではなく全身で支える体圧分散能に優れたマットレスである必要がある。従来、これを実現するため、低反発ウレタンフォームを用いたり、プロファイル加工によってウレタンフォーム表面に波型形状を付与するなど、種々の工夫がなされている。
【０００３】
しかしながら、フォーム全体が同一硬度であったり、同一構造であったりすると、重量のある臀部が落ち込んで不自然な姿勢となり、疲労や腰痛の原因となる。そこで、臀部の落ち込みを防ぐため、マットレスを区分して臀部付近（腰部、臀仙骨部、大腿部）の硬度を上げたもの、中間層にシリコンゲルシートなどのシート状部材を配置したものなどが提案されている。
【考案の開示】
【考案が解決しようとする課題】
【０００４】
ところで、上記のようにマットレスを区分して臀部付近（腰部、臀仙骨部、大腿部）の硬度を上げ、臀仙骨部の落ち込みを防ぐ場合、腰部、臀仙骨部、大腿部の３区分でみると、単位面積当たりの荷重は臀仙骨部が最も重いため、相対的に臀仙骨部に圧力が集中する。この結果、腰部、大腿部は浮揚してブリッジする状態となり、腸腰筋の緊張を招いて疲労の原因となり、長時間の臥床においては褥瘡発生の原因となる。また、中間層にシリコンゲルシートなどのシート状部材を配置するときは、ベッドの底づき感を軽減することができるが、シート状部材の全体がハンモック状となるため、尻落ちを防ぐには不十分である。
【０００５】
本考案は、従来困難であった上記姿勢の保持と体圧分散という相反する問題を簡単な構造で効果的に解決するもので、最も大きな荷重のかかる臀部付近の落ち込みを防止することにより、自然な姿勢を保持して腰痛を防ぎ、かつ、体圧を効果的に分散することによって筋肉の緊張をとり、入眠が良く疲労回復に優れた、また褥瘡の発生予防にも効果的なマットレスを提供することを目的とするものである。
【課題を解決するための手段】
【０００６】
上記目的を達成するため、本考案は次のような構成を採用した。
すなわち、請求項１記載のマットレスは、ウレタンフォームなどの軟質弾性体からなるクッション部材を単層または複数層重ねて構成したマットレスにおいて、前記クッション部材よりも硬さの硬い軟質弾性体からなる姿勢保持・体圧分散用の硬度調整部材を、マットレスの仰臥寝方向に沿って臀部を中心に腰部から大腿部までを覆うように埋め込み、該硬度調整部材のマットレス側面側から見た断面形状を、臀仙骨部付近が最も厚く、腰部側および大腿部側に行くに従ってその厚さが薄くなる形状としたものである。
【０００７】
また、請求項２記載のマットレスは、前記硬度調整部材のマットレス側面側から見た断面形状を、円弧形、波状山形、正弦波形、三角形、台形、紡錘形、階段状など、臀仙骨部位置に比べて腰部および大腿部側の硬さが減ずるような形状としたものである。
【０００８】
また、請求項３記載のマットレスは、前記硬度調整部材のマットレス側面側から見た断面形状を、人体の腰部から臀部を通って大腿部に至る部分の側面シルエットを模した形状としたものである。
【考案の効果】
【０００９】
請求項１記載のマットレスによれば、臀部を中心に腰部から大腿部までを覆うように埋め込んだ硬度調整部材のマットレス側面側から見た断面形状を、臀仙骨部付近が最も厚く、腰部側および大腿部側に行くに従ってその厚さが薄くなる形状としたので、臀仙骨部付近が最も硬く、腰部および大腿部側に行くに従って柔らかくなる。このため、最も大きな荷重のかかる臀仙骨部付近の沈み込み量が抑えられる一方、腰部および大腿部側へ向かうに従って単位荷重当たりの沈み込み量が大きくなり、マットレス全体としてみたとき腰部、臀部、大腿部の各部の沈み込み量はほぼ同じに抑えられ、立位に近い自然な姿勢が保持される。
【００１０】
また、臀部や仙骨部にかかる体圧は、腰部、大腿部に分散され、比較的均一に保たれる。したがって、全体が均一な構造になる従来のマットレスの場合のように、臀部（特に仙骨部）に荷重が集中して筋肉が緊張したり、血流が滞るというようなことがなくなるので、長時間にわたってベッドに伏しているような場合でも疲れず、褥瘡の発生も防止できる。
【００１１】
また、腰部、臀部、大腿部の沈み込み量が均一化されるので、マットレス上に仰臥状態で寝たときの脊柱の姿勢は、起立しているときの脊柱の姿勢とほぼ同じ状態となる。このため、臀部の落ち込みに伴う腰椎前彎の増強による腰痛の発生を防止でき、腰痛者には特に適している。また、側臥位をとった場合も、作用する荷重は大転子部や腸骨部に大きく、腰部に小さいが、硬度が漸減する構造のため、自然な姿勢が保たれ、かつ、体圧分散が良いため、疲れにくい。
【００１２】
さらに、硬度調整部材としては、ウレタンフォームなど、周知の軟質弾性体をその硬度を変えて用いればよく、特別な素材を何ら必要としないので、マットレスを安価に提供できる。
【００１３】
請求項２記載のマットレスによれば、マットレス側面側から見た硬度調整部材の断面形状を、円弧形、波状山形、正弦波形、三角形、台形、紡錘形、階段状など、臀仙骨部位置に比べて腰部および大腿部側の硬さが減ずるような形状としたので、硬度調整部材の製造が容易であり、マットレスをより安価に提供できる。
【００１４】
請求項３記載のマットレスによれば、マットレス側面側から見た硬度調整部材の断面形状を、人体の腰部から臀部を通って大腿部に至る部分の側面シルエットを模した形状としたので、埋め込まれた硬度調整部材の断面の厚さが単位面積当たりの荷重に比例するようになり、腰部、臀部、大腿部の沈み込み量をさらに均一化することができ、より効果的に体圧の分散を図ることができる。
【考案を実施するための最良の形態】
【００１５】
以下、本考案の実施の形態について図面を参照して説明する。
図１に、本考案に係るマットレスの一実施の形態を示す。（ａ）はマットレスの縦断面図、（ｂ）は硬度調整部材の斜視図である。
【００１６】
図において、１は低反発ウレタンフォームなどの軟質弾性体で構成された上部クッション部材、２は同じく低反発ウレタンフォームなどの軟質弾性体で構成された下部クッション部材、３は下面保護シートであって、通常、これらは図示を略した外装地で被覆されている。
【００１７】
４は姿勢保持・体圧分散用の硬度調整部材であって、マットレス側面側から見た断面形状が円弧形とされており、マットレスの仰臥寝方向に沿って臀仙骨部Ｂを中心に少なくとも腰部Ａから大腿部Ｃまでを覆うように、マットレス全幅を横切って下部クッション部材２内に埋め込まれている。
【００１８】
前記硬度調整部材４は、クッション部材１，２と同じウレタンフォーム，発泡ゴムなどの軟質弾性体から構成されており、その硬さをこれらクッション部材１，２よりも硬く設定されている。なお、ここにいう「硬さ」とは、荷重に対する弾性変形の度合いを指すもので、「硬い」とは同じ荷重に対して弾性変形量が小さいことを意味し、「柔らかい」とは同じ荷重に対して弾性変形量が大きいことを意味している。
【００１９】
上記実施の形態に係るマットレスは、硬度調整部材４の断面形状を円弧形としているので、最も大きな荷重のかかる臀仙骨部Ｂ付近が最も厚くて硬く、臀部から離れるに従ってその厚さが薄くなって柔らかくなる。このため、マットレス上に仰臥状態で寝た場合、最も大きな荷重のかかる臀仙骨部Ｂ付近の沈み込み量が抑えられる一方、腰部Ａおよび大腿部Ｃ側へ向かうに従って単位荷重当たりの沈み込み量が大きくなり、マットレス全体としてみたとき腰部Ａ、臀仙骨部Ｂ、大腿部Ｃの各部の沈み込み量はほぼ同じとなる。この結果、マットレスに作用する体圧は腰部Ａ、臀仙骨部Ｂ、大腿部Ｃの全体で均等に支えられるようになり、従来のように最も重い臀仙骨部Ｂに荷重が集中して血流が滞るというようなことがなくなる。したがって、長時間にわたってベッドに伏しているような場合でも、褥瘡の発生を防止できる。
【００２０】
また、腰部Ａ、臀仙骨部Ｂ、大腿部Ｃの各部の沈み込み量が均一化されるので、マットレス上に仰臥状態で寝たときの脊柱の姿勢は、起立しているときの脊柱の姿勢とほぼ同じ状態となる。このため、臀部の落ち込みによる脊椎圧迫などもなくなり、脊椎圧迫による腰痛の発生もなくすことができる。
【００２１】
前記硬度調整部材４としては、クッション部材１，２を構成するウレタンフォームなどの軟質弾性体と同じものをその硬さを変えて用いればよく、特殊な素材を必要としないので、マットレスを安価に提供することができる。
【００２２】
なお、人体における臀仙骨部Ｂから大腿部Ｃまでの距離（長さ）は身長によって異なるので、実際の製造販売に際しては、一定の身長区分毎にサイズ分けし、身長区分に応じて硬度調整部材４の大きさを変えたマットレスを用意すればよい。
【００２３】
以上説明した実施の形態では、硬度調整部材４の断面形状を円弧形としたが、硬度調整部材４の断面形状はこれに限られるものではなく、例えば、図２（ａ）に示すような三角形断面、図２（ｂ）に示すような波状山形断面、図２（ｃ）に示すような台形断面、図２（ｄ）に示すように紡錘形断面、図２（ｅ）に示すような階段状断面、正弦波断面（図示省略）など、臀仙骨部位置に比べて腰部および大腿部側の硬さが減ずるような断面形状であればよい。
【００２４】
さらに、図３に示すように、人体の腰部Ａから臀仙骨部Ｂを通って大腿部Ｃに至る部分の側面シルエットＬを模した断面形状とすれば、腰部Ａ、臀仙骨部Ｂ、大腿部Ｃの沈み込み量をさらに均一化することができ、前述した本考案マットレスの体圧分散効果をさらに高度に発揮させることができる。
【００２５】
なお、上記実施の形態では、硬度調整部材４をその山部側が下向きになるようにして下部クッション部材２中に埋め込んだが、これとは逆に、山部側を上に向けて埋め込んでもよいものである。また、下部クッション部材２よりも上部クッション部材１のほうを厚くし、上部クッション部材１中に埋め込んでもよいし、上部クッション部材１と下部クッション部材２の両者にまたがるように埋め込んでもよいものでる。また、マットレスを上部クッション部材１と下部クッション部材２の二層構造としたが、単層構造あるいは三層以上の多層構造としてもよいものである。
【００２６】
また、上記実施の形態では、硬度調整部材４を下部クッション部材２に形成した凹部に嵌め込むことによりマットレス内に埋め込んだが、硬度調整部材４の埋め込み方法はこれに限られるものではなく、例えば図４（ａ）（ｂ）に示すように、下部クッション部材２（または上部クッション部材１）に硬度調整部材４の断面形状に合わせたくり抜き穴５を形成し、このくり抜き穴５内に硬度調整部材４を挿入してもよいし、あるいは図５（ａ）（ｂ）に示すように、下部クッション部材２（または上部クッション部材１）にスリット６を入れ、このスリット６内に硬度調整部材４を挿入するようにしてもよい。特に、図５のスリット６を用いた場合には、身長に応じて硬度調整部材４の位置を移動できるし、体重に応じて硬さの異なる硬度調整部材４に取り換えることも容易となる。
【図面の簡単な説明】
【００２７】
【図１】本考案に係るマットレスの一実施の形態を示すもので、（ａ）は縦断面図、（ｂ）は硬度調整部材の斜視図である。
【図２】硬度調整部材の他の断面形状例を示すもので、（ａ）三角形断面、（ｂ）は波状山形断面、（ｃ）は台形断面、（ｄ）は紡錘形断面、（ｅ）は階段状断面とした場合の例である。
【図３】硬度調整部材のさらに他の形状例を示すもので、人体の腰部から臀部を通って大腿部に至る部分の側面シルエットを模した断面形状とした場合の例である。
【図４】くり抜き穴によって圧力分散用弾性材を埋め込む場合の例を示すもので、（ａ）はくり抜き穴を形成したマットレスの断面図、（ｂ）はくり抜き穴内に硬度調整部材を挿入した状態のマットレスの断面図である。
【図５】スリットによって圧力分散用弾性材を埋め込む場合の例を示すもので、（ａ）はスリットを形成したマットレスの断面図、（ｂ）はスリット内に硬度調整部材を挿入した状態のマットレスの断面図である。
【符号の説明】
【００２８】
１    上部クッション部材
２    下部クッション部材
３    下面保護シート
４    硬度調整部材
５    くり抜き穴
６    スリット
Ａ    腰部
Ｂ    臀仙骨部
Ｃ    大腿部
Ｌ    腰部から臀部を通って大腿部に至る部分の側面シルエット
【図１】
0003120773.tif 000003
【図２】
0003120773.tif 000004
【図３】
0003120773.tif 000005
【図４】
0003120773.tif 000006
【図５】
0003120773.tif 000007